(57)【要約】      （修正有）【課題】支持糸が露出する欠点を克服して、縫製後の縫い目表面が凸状となる問題を解決し、製品が肌に優しく、快適さを維持する立体織地を提供する。【解決手段】立体織地は、第１の立体ニット布地１Ａ、第２の立体ニット布地２Ａ、及び第１のふわふわ柔らかい糸Ｌを含む。第１の立体ニット布地の第１の内縁１１及び第２の立体ニット布地の少なくとも１つの第２の内縁２１は、互いに連続して第１のシーム構造を形成する。第１のふわふわ柔らかい糸は第１のシーム構造に埋め込まされる。立体織地は、支持糸が露出されるという欠点を解決し得る以外に、シーム構造表面が凹凸不平坦となる問題を解決でき、製品が肌に優しく、快適さを維持できる。さらに、縫い目又は縁を結合するための追加表布テープを効果的に省略できるため、布地構造の厚さの増加を防ぎ、衣服の縫製に使用される場合でも、密着した衣服の下でほとんど見えないという利点がある。【選択図】図２Ｂ
0003227157.tif 000002
【実用新案登録請求の範囲】
【請求項１】
第１の内縁、及び前記第１の内縁と相対する第１の外縁を含む、第１の立体ニット布地と、
少なくとも１つの第２の内縁と、前記第２の内縁と連続して一緒に第１のシーム構造を形成する、前記少なくとも１つの第２の内縁と相対する第２の外縁とを含む第２の立体ニット布地と、
前記第１のシーム構造に埋め込まれる第１のふわふわ柔らかい糸と、
を含み、
前記第１の立体ニット布地と前記第２の立体ニット布地は、前記第１の内縁及び前記第２の内縁にて縫い合わされる、ことを特徴とする立体織地。
【請求項２】
前記第１のふわふわ柔らかい糸の直径は、前記第１の立体ニット布地及び前記第２の立体ニット布地の厚さよりも０．２ｃｍ大きく、
前記第１の立体ニット布地と前記第２の立体ニット布地において、前記第１の内縁及び前記第２の内縁にて縫い合わされる縫い幅は、インチ毎に１６乃至２０の縫い目となる、請求項１に記載の立体織地。
【請求項３】
前記第１の立体ニット布地及び前記第２の立体ニット布地は、それぞれ表面層、底面層、及び前記表面層と前記底面層を接続する少なくとも１つの支持糸を含む、請求項１に記載の立体織地。
【請求項４】
前記第１の外縁及び／又は前記第２の外縁に縫い合わされ、パイピング構造に形成されるパイピングテープと、
前記パイピング構造に埋め込まれる第２のふわふわ柔らかい糸と、
をさらに含む、請求項１に記載の立体織地。
【請求項５】
前記第１の内縁及び前記第２の内縁に縫い合わされる、厚さが０．２ｃｍ乃至０．３ｃｍとなる表布テープをさらに含む、請求項１に記載の立体織地。
【請求項６】
前記第１の内縁と連続して第２のシーム構造を形成し、前記第２の内縁と連続して第３のシーム構造を形成する２つの第３の内縁と、前記第３の内縁と相対する第３の外縁を含む第３の立体ニット布地と、
前記第２のシーム構造に埋め込まれる第３のふわふわ柔らかい糸と、
前記第３のシーム構造に埋め込まれる第４のふわふわ柔らかい糸と、
を含み、
前記第１の立体ニット布地、前記第２の立体ニット布地、及び前記第３の立体ニット布地は、前記第１の内縁、前記第２の内縁、及び前記第３の内縁にて縫い合わされ、
前記第３の立体ニット布地は、表面層、底面層、及び前記表面層と前記底面層を接続する少なくとも１つの支持糸を含む、請求項１に記載の立体織地。
【請求項７】
前記第２の内縁及び前記第３の内縁に縫い合わされる、厚さが０．２ｃｍ乃至０．３ｃｍとなる表布テープをさらに含み、
前記第３のふわふわ柔らかい糸及び前記第４のふわふわ柔らかい糸の直径は、前記第１の立体ニット布地及び前記第３の立体ニット布地よりも０．２ｃｍ大きくなる、
請求項６に記載の立体織地。
【考案の詳細な説明】
【技術分野】
【０００１】
本考案は、立体織地に関し、特に立体織地の縫製方法及びその縫製方法によって製造された織物構造である。
【背景技術】
【０００２】
従来の布地縫製方法では、例えば、発泡体又はニードルパンチ繊維が、女性のブラジャーの布材料として一般的に使用される。しかし、発泡材料の製品は蒸し暑く、通気性が悪くて、簡単に変色し、製造プロセスの汚染の懸念がある。一方、ニードルパンチ繊維布製品は、洗濯後の繊維損失によって製品が変形し、製品寿命を短くする場合がある。
【０００３】
立体織地は、２つの表糸の間に挟まれた支持糸を含むことにより２つの表面層を支持できる三層織物であるため、硬度が高い。しかしながら、従来の継ぎ合わせ及び縫製方法では、支持糸の露出を引き起こし、皮膚をひどく刺激し、快適さを低下させる。これを考慮すると、従来の縫製方法で立体織地を継ぎ合わせるのには好ましくない。例えば、ブラジャーのほとんどは圧縮成形法で成形されているが、圧縮成形法では、多くの布地材料が無駄になり、コストが大幅に増加し、支持糸が露出するという欠点を完全に避けることができない。したがって、立体織物は効果的に普及することができなかった。
【０００４】
上記の理由により、本考案は、立体織地及びその縫製方法で製造された立体織地を提供し、それにより、資源浪費を節約し、コストを削減することで、衣服及びマットレスなどの立体織地製品の快適性を改善する。
【考案の概要】
【考案が解決しようとする課題】
【０００５】
本考案が解決しようとする課題は、既存技術の不足に対して、立体織地の縫製方法で製造される立体織地構造を提供する。
【課題を解決するための手段】
【０００６】
上記の課題を解決するために、本考案に採用される技術手段の１つとして、下記の立体織地を提供する。立体織地は、第１の立体ニット布地、第２の立体ニット布地、及び第１のふわふわ柔らかい糸を含む。第１の立体ニット布地は、第１の内縁、及び前記第１の内縁と相対する第１の外縁を含む。第２の立体ニット布地は、少なくとも１つの第２の内縁と、前記第２の内縁と連続して共に第１のシーム構造を形成する、前記少なくとも１つの第２の内縁と相対する第２の外縁とを含む。第１のふわふわ柔らかい糸は、前記第１のシーム構造に埋め込まれる。前記第１の立体ニット布地と前記第２の立体ニット布地は、前記第１の内縁及び前記第２の内縁にて縫い合わされる。
【考案の効果】
【０００７】
本考案による有益な効果の１つとしては、本考案が提供する立体織地は、「第１のふわふわ柔らかい糸がシーム構造に埋め込まれる立体織地」及び「第１のふわふわ柔らかい糸の直径が第１の立体ニット布地及び前記第２の立体ニット布地の厚さよりも０．２ｃｍ又は０．２ｃｍ以上大きい」という技術手段により、支持糸が露出する欠点を克服して、縫製後の縫い目表面が凸状となる問題を解決し、製品が肌に優しく、快適さを維持する。さらに、本考案は、縫い目又は縁を結合するための表布テープを効果的に省略できるため、布地構造の厚さの増加を防ぎ、衣服の縫製に使用される場合でも、密着した衣服の下でほとんど見えないという利点がある。
【図面の簡単な説明】
【０００８】
【図１Ａ】本考案に係る第１の実施形態の立体織地の縫製方法を示すフローチャートである。
【図１Ｂ】本考案に係る別の実施形態の別の立体織地の縫製方法を示すフローチャートである。
【図２Ａ】本考案に係る第１の実施形態の立体織地の縫製方法によるステップＳ１０２乃至Ｓ１０４を示す模式図である。
【図２Ｂ】本考案に係る第１の実施形態の立体織地の縫製方法により縫製された製品を示す模式図である。
【図３Ａ】本考案に係る第３の実施形態による１つのブラカップ構造を示す模式図である。
【図３Ｂ】本考案に係る第３の実施形態による別のブラカップ構造を示す模式図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１０】
下記より、具体的な実施形態により本考案が開示する「立体織地の縫製方法」を説明する。当業者は本明細書の公開内容により本考案のメリット及び効果を理解し得る。本考案は他の異なる実施形態により実行又は応用できる。本明細書における各細節も様々な観点又は応用に基づいて、本考案の趣旨を逸脱しない限り、均等の変形と変更を行うことができる。また、本考案の図面は簡単で模式的に説明するためのものであり、実際的な寸法を示すものではない。以下の実施形態において、本考案に係る技術事項をさらに説明するが、公開された内容は本考案を限定するものではない。
【００１１】
「第１の」、「第２の」、「第３の」などの用語は、本明細書では様々な要素又は信号を記述するために使用されるが、これらの要素又は信号はこれらの用語に制限されるものではないことを理解されたい。これらの用語は、主に、ある要素を別の要素又は別の信号と区別するために使用される。さらに、本明細書で使用される「又は」という用語は、関連する列挙された項目のいずれか１つ又は複数の組み合わせを含み得る。
【００１２】
本考案の目的は、立体織地の縫製方法を提供することである。具体的に、立体織地は、多層の織物構造であり、表面層、底面層、及び表面層と底面層を接続する少なくとも１つの支持糸を含む。支持糸は、モノフィラメント又はマルチフィラメント糸の支持糸から選ばれる。立体織地は、支持糸の支持により、表面層及び底面層が高い硬さを持つ。なお、縫製時、縫製圧力により支持糸の傾斜方向が不均一になり、縫製後に製品の曲線のバランスが崩れ、望ましくない。さらに、縫製により、支持糸が表面層及び／又は底面層から突き出される場合もある。
【００１３】
以下に、第１の実施形態及び第２の実施形態によって、本考案に係る立体織地の縫製方法を説明する。本考案の縫製方法は、立体織地の縫製において、特定の製品により制限されない。なお、さらに詳細に本考案を説明するため、第３の実施形態をもって、縫製の製品となるブラカップ構造を説明する。
【００１４】
［第１の実施形態］
図１Ａ、図１Ｂ、図２Ａ、及び２Ｂに示すように、本考案に係る第１の実施形態では、立体織地の縫製方法を提供する。立体織地の縫製方法は、第１の内縁を有する第１の立体ニット布地と第２の内縁を有する第２の立体ニット布地とを提供するステップＳ１００と、第１のふわふわ柔らかい糸を第１の内縁及び第２の内縁の間に配置するステップＳ１０２と、第１の内縁及び第２の内縁を縫い合わせることにより、第１のふわふわ柔らかい糸を埋め込むシーム構造を形成するステップＳ１０４とを含む。
【００１５】
さらに、図１Ｂを参照する。本実施形態の立体織地の縫製方法は、ニーズに応じて、さらに、第１の立体織地の第１の外縁及び／又は第２の立体ニット布地の第２の外縁にパイピング処理を行うステップＳ１０６を含んでもよい。さらに言えば、ステップＳ１０６のパイピング処理では、第１の立体ニット布地の第１の外縁及び／又は第２の立体ニット布地の第２の外縁に第２のふわふわ柔らかい糸を配置すると共に、パイピングテープで第２のふわふわ柔らかい糸を包み、さらにパイピングテープを縫い合わせることにより、第１の外縁及び／又は第２の外縁に第２のふわふわ柔らかい糸を包むパイピング構造を形成する。
【００１６】
本実施形態に係る立体織地の縫製方法は、ニーズに応じて、シーム構造に表布テープを設けるステップＳ１０８をさらに含んでもよい。表布テープの厚さは、０．２ｃｍ乃至０．３ｃｍである。
【００１７】
図２Ａ及び図２Ｂを参照し、さらに詳細に説明する。図２Ａは、本考案によるステップＳ１０２乃至ステップＳ１０４を示す模式図である。図２Ｂは、本考案によるステップＳ１０２乃至ステップＳ１０４により縫製された立体織地を示す模式図である。本実施形態において、縫製された立体織地は、第１の立体ニット布地１Ａ及び第２の立体ニット布地２Ａを含む。第１の立体ニット布地１Ａは第１の内縁１１Ａを有し、第２の立体ニット布地２Ａは第２の内縁２１Ａを有する。第１の内縁１１Ａ及び第２の内縁２１Ａは互いに継ぎ合わされて、かつ、第１のふわふわ柔らかい糸Ｌは、第１の内縁１１Ａと第２の内縁２１Ａとの間に配置され、縫製機械により縫い込まされる。さらに、ニーズに応じて、シーム構造に表布テープが設けられてもよい（図示しない）。
【００１８】
好ましくは、第１の立体ニット布地及び第２の立体ニット布地において、前記第１の内縁と前記第２の内縁が縫い合わされる縫い幅はインチ毎に１６乃至２０の縫い目を有する。インチ毎に１６の縫い目より少ない場合では、立体織地における支持糸が露出して、皮膚に刺激を与える。一方、インチ毎に２０の縫い目よりも多い場合、立体織地のシーム構造が不平坦になる。
【００１９】
好ましくは、第１のふわふわ柔らかい糸は、毛糸であってもよく、その直径は、第１の立体ニット布地及び第２の立体ニット布地の厚さよりも０．２ｃｍ又は０．２ｃｍ以上大きくなる。それにより、第１のふわふわ柔らかい糸は、立体織地に外力が加えられる場合に露出する支持糸を収容する余裕の空間を提供することができる。言い換えれば、立体マルチフィラメント糸織物の内層から飛び出す繊維は、圧迫により第１のふわふわ柔らかい糸の隙間に曲がったり、挿入されたりする。
【００２０】
好ましくは、縫い合わせる前に、第１のふわふわ柔らかい糸を第１の内縁と第２の内縁と一致する位置まで引っ張ることにより、元々第１のふわふわ柔らかい糸に収容された露出している支持糸を同方向に導くことができると共に、シーム構造をより滑らかにすることができる。縫製には、適切な一定の速度で、できればより遅い速度で縫製することが好ましい。
【００２１】
好ましくは、縫合ステップにおける縫合糸の収縮率は、１〜５％である。
【００２２】
第１の実施形態に係る縫製方法により得られた製品では、３０×３０ｃｍ２の面積において、突き出し、糸の引っ掛け、汚染等の欠陥が４つ未満であることが実験により確認されている。糸抵抗は、ＣＮＳ１２４７５規定に準拠するレベル４以上を満たしている。
【００２３】
［第２の実施形態］
本考案は、さらに立体織地を提供する。立体織地は、第１の立体ニット布地、第２の立体ニット布地、及び第１のふわふわ柔らかい糸を含む。第１の立体ニット布地は、第１の内縁、及び第１の内縁に相対する第１の外縁を含む。第２の立体ニット布地は、少なくとも１つの第２の内縁、及び第２の内縁に相対する第２の外縁を含む。第１の内縁と少なくとも１つの第２の内縁は互いに連続して共に第１のシーム構造を形成する。第１のふわふわ柔らかい糸は、第１のシーム構造に埋め込まれる。なかでも、第１の立体ニット布地と第２の立体ニット布地では、第１の内縁及び第２の内縁によって縫い合わされる。ニーズに応じて、立体織地は、さらにパイピングテープを含んでもよい。パイピングテープは、第１の外縁及び／又は第２の外縁に縫い合わされており、パイピング構造が形成される。第２のふわふわ柔らかい糸はそのパイピング構造に埋め込まれる。
【００２４】
本考案において、縫製された立体織地は、縫製、縫い付け、及び継ぎ合わせにより製造される様々な製品であり得る。なお、理解を簡単にするために、本考案による第３の実施形態では、ブラカップ構造によって製造された立体織地の製品を説明する。ただし、本考案による製品はその例に制限されない。例えば、第１のブラカップ１及び第２のブラカップ２によって本考案の第１の立体ニット布地及び第２の立体ニット布地を説明することができる。
【００２５】
［第３の実施形態］
図３Ａ乃至図３Ｂを参照する。本考案の第３の実施形態は、ブラカップ構造を提供する。それは例えば、上記実施形態における立体織地の縫製方法によって形成し得る。例えば、図３Ａに示すように、ブラカップ構造Ｂは、第１のブラカップ１及び第２のブラカップ２を含む。第１のブラカップ１は、第１の内縁部１１、及び第１の内縁部１１と相対する第１の外縁部１２を含む。第２のブラカップ２は、少なくとも１つの第２の内縁部２１、及び第２の内縁部２１と相対する第２の外縁部２２を含む。具体的に言えば、本考案によるブラカップ構造Ｂは、第１のブラカップ１及び第２のブラカップ２を継ぎ合わせることにより、女性のブラジャー、下着に適する円弧状のカップ構造を形成する。第１の内縁部１１と少なくとも１つの第２の内縁部２１は連続して共に第１のシーム構造Ｓ１を形成する。なかでも、第１のふわふわ柔らかい糸Ｌ１（図示しない）は、第１のシーム構造Ｓ１に埋め込まれる。第１のブラカップ１と第２のブラカップ２は、第１の内縁部１１及び第２の内縁部２１にて継ぎ合わされる。また、ブラカップ構造Ｂは少なくとも１つのパイピングテープを含んでいて、それは、第１の外縁部１２及び／又は第２の外縁部２２に縫い合わされることで、パイピング構造が形成される。同様に、ブラカップ構造は、パイピング構造に埋め込まれる第２のふわふわ柔らかい糸Ｌ２（図示しない）をさらに含む。
【００２６】
図３Ｂに示すように、ニーズに応じて、本考案によるブラカップ構造Ｂは、第３のブラカップ３をさらに含んでもよい。詳しくは、図３Ｂに示したブラカップ構造Ｂでは、第１のブラカップ１、第２のブラカップ２及び第３のブラカップ（第３の立体ニット布地）３によって構成される。第１のブラカップ１は、第１の内縁部１１、及び第１の内縁部１１と相対する第１の外縁部１２を含む。第２のブラカップ２は、２つの第２の内縁部２１、２３、及びそれらと相対する第２の外縁部２２合わせて３つの辺を有し、第３のブラカップ３は、２つの第３の内縁部（第３の内縁）３１、３３、及びそれらと相対する第３の外縁部（第３の外縁）３２合わせて３つの辺を有する。第１の内縁部１１の一部分と第２の内縁部２１は継ぎ合わされ、共に第１のシーム構造Ｓ１を形成し、また第１の内縁部１１の他部分と第３の内縁部３１も継ぎ合わされ、共に第２のシーム構造Ｓ２を形成し、第２の内縁部２３と第３の内縁部３３は連続して第３のシーム構造Ｓ３を形成する。
【００２７】
また、図３Ｂに示したブラカップ構造Ｂは、第３のふわふわ柔らかい糸Ｌ３及び第４のふわふわ柔らかい糸Ｌ４（図示しない）をさらに含む。第３のふわふわ柔らかい糸Ｌ３は第２のシーム構造Ｓ２に埋め込まれ、第４のふわふわ柔らかい糸Ｌ４は第３のシーム構造Ｓ３に埋め込まれる。第１のブラカップ１、第２のブラカップ２及び第３のブラカップ３の協働によって、異なる曲線を有するブラカップ構造を得ることができる。
【００２８】
好ましくは、第１のブラカップ１、第２のブラカップ２、及び第３のブラカップ３はいずれも立体織地の多層織物構造であり、それは、表面層、底面層、及び表面層と底面層を接続する少なくとも１つの支持糸を含み、支持糸は、モノフィラメント又はマルチフィラメント糸の支持糸から選ばれる。
【００２９】
［実施形態による有益な効果］
本考案による有益な効果の１つとしては、本考案が提供する立体織地の縫製方法では、「前記第１のふわふわ柔らかい糸がシーム構造に埋め込まれる立体織地」及び「前記第１のふわふわ柔らかい糸の直径が前記第１の立体織地及び前記第２の立体織地の厚さよりも０．２ｃｍ又は０．２ｃｍ以上大きくなる」という技術的手段によって、支持糸が露出する欠点を克服することができる。
【００３０】
さらに言えば、本考案による立体織地の縫製方法では、「第１のふわふわ柔らかい糸を前記第１の内縁と前記第２の内縁との間に配置する」及び「前記第１のふわふわ柔らかい糸の直径が前記第１の立体織地及び前記第２の立体織地の厚さよりも０．２ｃｍ又は０．２ｃｍ以上大きくなる」技術的手段により、縫製の圧力により立体織地から突き出す支持糸を収容する余裕空間を提供する。それにより、より優れた縫製方法を提供することができ、立体織地は、衣類、下着、マットレス、シーツなどの異なる布地製品に適用することができる。
【００３１】
さらに、本開示の立体織地の縫製方法は、プロセスが単純で、布地の使用を効果的に節約することができる。詳細には、一片の布地を使用して、従来の方法よりも約３又は４倍多くの製品を製造することができる。圧縮成形法よりも優れた曲線製品（ブラカップなど）の製造方法を提供する。さらに、糸の引っ掛け、汚染等の欠陥が４つ未満であることが実験により確認されている。糸抵抗は、ＣＮＳ１２４７５規定に準拠するレベル４以上を満たしている。それにより、立体織地は、快適な感触を有し、これは衣料品のニーズを満たし、高い快適感が要件の女性下着の製造に適用することができる。
【００３２】
本考案による立体織地構造では、支持糸が露出する欠点を克服し、縫製後のシーム構造が凸面となる問題を解決し、製品が肌に優しく、快適さを維持する。さらに、本考案では、シーム箇所又は縁部に使われる追加の表布テープを効果的に省略できるため、布地構造の厚さの増加を回避し、衣服に適用された場合でも、着用時の衣服の下では縫い目の痕跡がほとんど見えないようにする。
【００３３】
以上に開示された内容は本考案の好ましい実施形態に過ぎず、これにより本考案の実用新案登録請求の範囲を制限するものではない。そのため、本考案の明細書及び添付図面の内容に基づき為された等価の技術変形は、全て本考案の実用新案登録請求の範囲に含まれるものとする。
【符号の説明】
【００３４】
１：第１のブラカップ
１Ａ：第１の立体ニット布地
１１：第１の内縁部
１１Ａ：第１の内縁
１２：第１の外縁部
２：第２のブラカップ
２Ａ：第２の立体ニット布地
２１：第２の内縁部
２１Ａ：第２の内縁
２２：第２の外縁部
２３：第２の内縁部
３：第３のブラカップ
３１、３３：第３の内縁部
３２：第３の外縁部
Ｂ：ブラカップ構造
Ｌ：第１のふわふわ柔らかい糸
Ｓ１：第１のシーム構造
Ｓ２：第２のシーム構造
Ｓ３：第３のシーム構造
【図１Ａ】
0003227157.tif 000003
【図１Ｂ】
0003227157.tif 000004
【図２Ａ】
0003227157.tif 000005
【図２Ｂ】
0003227157.tif 000006
【図３Ａ】
0003227157.tif 000007
【図３Ｂ】
0003227157.tif 000008